(57)【要約】【課題】工場、市場、船上等において清掃のため水圧をかけた水を多く使用する場所に設置する電気機器収納用箱に適した鎖錠用ハンドル装置を提供する。【解決手段】箱本体１の前面開口を開閉する扉２の側面に突出させて設けた扉の前面方向に回動させて鎖錠部のロックを解除する取手３に、該取手３の背面３ａに水圧を受けた場合にこの水圧を取手３の引き上げ方向から逸らす手段を設ける。これにより水が誤って取手３の引き上げ方向である取手３の背面３ａに当たっても、水圧の一部は引き上げ方向から逸らされこととなるので取手３が引き上げられてロック状態を解除することはないものである。【選択図】    図１
2004278202.tif 000002
【特許請求の範囲】
【請求項１】
箱本体の前面開口を開閉する扉の側面に突出させて設けた扉の前面方向に引き上げて鎖錠部のロックを解除する取手に、該取手の背面に水圧を受けた場合にこの水圧を取手の引き上げ方向から逸らす手段を設けたことを特徴とする鎖錠用ハンドル装置。
【請求項２】
水圧を取手の引き上げ方向から逸らす手段が、取手の背面から側面に通じる斜め外向きの溝底部を形成した横溝を多数設けたものよりなる請求項１に記載の鎖錠用ハンドル装置。
【請求項３】
水圧を取手の引き上げ方向から逸らす手段が、取手の背面から側面に向け設けた斜め外向きの抜き孔よりなる請求項１に記載の鎖錠用ハンドル装置。
【請求項４】
水圧を取手の引き上げ方向から逸らす手段が、取手の背面から側面に向け設けた斜め外向きの傾斜面よりなる請求項１に記載の鎖錠用ハンドル装置。
【請求項５】
水圧を取手の引き上げ方向から逸らす手段が、取手の背面から前面に向け貫通させた水逃し用の横溝若しくは抜き孔よりなる請求項１に記載の鎖錠用ハンドル装置。
【発明の詳細な説明】
【０００１】
【発明の属する技術分野】
本発明は、魚市場、厨房、船上等のように清掃に水圧をかけた水をホースから流して使用する場所に設置する電気機器収納用箱に適した鎖錠用ハンドル装置に関するものである。
【０００２】
【従来の技術】
従来の鎖錠用ハンドル装置は、扉の前面に取手を設けて該取手の操作により鎖錠部の鎖錠・解錠を行うものであった。しかし、これは鎖錠部が箱本体の開口部に位置することが不可避であることから、この鎖錠部が箱本体や扉前面に電気機器を設置するためのスペースを狭くするという問題がある。（例えば、特許文献１参照）。
【０００３】
【特許文献１】特開２００２−４６５１（図１、図７）
【０００４】
【発明が解決しようとする課題】
そこで、図１１に示すように取手１０１を扉１０２側面に取り付けて、鎖錠部が箱本体１００の開口部の外側に位置させたものを、本出願人が特願２００２−１３５２８８として提案したが、これを取り付けた電気機器収納用箱を魚市場、厨房、船上、プール等のように水圧をかけた水をホースから噴出させて清掃を行う場所に設置した場合に水が誤って取手１０１の背面に当たった際に取手が水圧により引き上げられ扉が開く虞があった。また、屋外に設置した電気機器収納用箱にも暴風雨の際に同様の現象が起こる可能性があった。これを解決するため、取手を小さくしたり、取手のクランプ力を強固なものとすれば、手指による取手の引き上げ操作に非常な力が必要とする問題がある。
【０００５】
【課題を解決するための手段】
前記の課題を解決するためになされた本発明の鎖錠用ハンドル装置は、箱本体の前面開口を開閉する扉の側面に突出させて設けた扉の前面方向に引き上げて鎖錠部のロックを解除する取手に、該取手の背面に水圧を受けた場合にこの水圧を取手の引き上げ方向から逸らす手段を設けたことを特徴とするものを請求項１に記載の発明とし、この発明において、水圧を取手の引き上げ方向から逸らす手段が、取手の背面から側面に通じる斜め外向きの溝底部を形成した横溝を多数設けたものよりなるものを請求項２に記載の発明とし、また、前記請求項１に記載の発明において、水圧を取手の引き上げ方向から逸らす手段が、取手の背面から側面に向け設けた斜め外向きの抜き孔よりなるものを請求項３に記載の発明とし、また、前記請求項１に記載の発明において、水圧を取手の引き上げ方向から逸らす手段が、取手の背面から側面に向け設けた斜め外向きの傾斜面よりなるものを請求項４に記載の発明とし、さらに、前記請求項１に記載の発明において、水圧を取手の引き上げ方向から逸らす手段が、取手の背面から前面に向け貫通させた水逃し用の横溝若しくは抜き孔よりなるよりなるものを請求項５に記載の発明としたものである。
【０００６】
【発明の実施の形態】
次に、本発明の好ましい実施の形態を図を参照して説明する。
図１において、１は電気機器収納用箱の箱本体、２は該箱本体１の前面開口を開閉する扉であり、該扉２の側面すなわち側枠部２１には扉２の前面方向に引き上げて鎖錠部３１のロックを解除する取手３が突出して取り付けられている。この取手３はハンドルケース３０内に収納したトグル機構（図示を略）を介して図２に示すように鎖錠部３１を箱本体１に設けた係止部１１に所謂クランプ方式で係脱させてロック及びその解除を行うものである。なお、鎖錠部３１の係止部１１へのロック手段は取手３を後方向に押し付けることにより鎖錠部３１によりロックでき、取手３を扉の前面方向に引き上げることにより鎖錠部３１によりロック解除できるものであればよいものであり、鎖錠部３１を取手３を引き上げることにより回動して前記係止部１１に係脱するベロー式のものであってもよい。
【０００７】
また、前記取手３には、該取手３の背面３ａに水圧を受けた場合にこの水圧を取手３の引き上げ方向から逸らす手段を設けてある。これにより、配電機器、制御機器等を収納した電気機器収納用箱を魚市場、厨房、船上、プール等のホースで高い水圧の水をかけて清掃を行う場所に設置した場合に水が誤って取手３の引き上げ方向である取手３の背面に当たっても、水圧の一部は引き上げ方向から逸らされこととなるので取手３が引き上げられてロック状態を解除することはないものであるから、扉２が開いて電気機器を収納した箱本体１内に水が入り込むという不都合がないものである。また、前記したように取手３の背面３ａに水圧を受けた場合にこの水圧を取手３の引き上げ方向から逸らす手段を設けてあるので、取手３を手指で容易に操作できる大きさにできるとともに、取手３のクランプ力を手指の力で容易に操作できる力に設定できるものである。
【０００８】
なお、水圧を取手３の引き上げ方向から逸らす手段としては、図４〜図５に示す第１の実施例にあっては、取手３の背面３ａから側面３ｂに通じる斜め外向きの溝底部３３ａを形成した横溝３３を多数設けたものであり、取手３を引き上げる方向の水が取手３の背面３ａに当たっても、水の一部は多数の横溝３３から外側に逸れるとともに横溝３３の溝底部３３ａに当たった水はその力を取手３を扉２側面側に押圧する方向に向くので取手３が引き上げられてロック状態を解除するまでの力は取手３に加わらないものである。そして、この横溝３３の取手３の背面側部分は手指で取手３を操作する際の滑り止め効果を発揮して取手３の引き上げ操作を容易とする利点があるので前記手段としては好ましいものでもある。
【０００９】
また、水圧を取手３の引き上げ方向から逸らす手段としては、図６〜図７に示す第２の実施例にあっては、取手３の背面３ａから側面３ｂに向け設けた斜め外向きの抜き孔３４よりなるものであり、取手３を引き上げる方向の水が取手３の背面３ａに当たっても、水の一部はこの抜き孔３４から外側に逃げるとともに抜け孔３４の内面に当たった水はその力を取手３を扉２側面側に向け押圧するので取手３が引き上げられてロック状態を解除するまでの力は取手３に加わらないものである。そして、抜き孔３４の取手３の背面側部分は手指で取手３を操作する際の滑り止め効果を発揮して取手３の引き上げ操作を容易とする利点があるので前記手段としては好ましいものでもある。
【００１０】
また、水圧を取手３の引き上げ方向から逸らす手段としては、図８〜図９に示す第３の実施例にあっては、取手３の背面３ａから側面ｂに向け設けた斜め外向きの傾斜面３５よりなるものであり、取手３を引き上げる方向の水が取手３の背面３ａに当たっても、水の一部はこの傾斜面３５に導かれて外側に逸れるとともに傾斜面３５に当たった水はその力を取手３を扉２側面側に向け押圧するので取手３が引き上げられてロック状態を解除するまでの力は取手３に加わらないものである。
【００１１】
さらに、水圧を取手３の引き上げ方向から逸らす手段としては、図１０に示す第４の実施例にあっては、取手３の背面３ａから前面３ｃに向け貫通させた水逃し用の多数の溝３６よりなるものものであり、取手３を引き上げる方向の水が取手３の背面３ａに当たっても、水の一部はこの溝３６を通って前面側に逃げるので、その分の水圧が取手３の引き上げ方向から逸れるので取手３が引き上げられてロック状態を解除するまでの水圧は取手３に加わらないものである。また、この他にも取手３の背面３ａから前面３ｃに向け貫通させた水逃がし用の抜き孔としてもよい。
【００１２】
【発明の効果】
以上に説明したように、本発明に係る鎖錠用ハンドル装置は、鎖錠部のロックを解除する取手に、該取手の背面に水圧を受けた場合にこの水圧を取手の引き上げ方向から逸らす手段を設けたものであるから、これを使用した電気機器収納用箱を工場、市場、船上、プール等のホースで高い水圧により水を掛けて清掃を行う場所に設置した場合に水が誤って取手の背面に当たっても、水圧の一部は逸れるので取手が引き上げられてロック状態を解除するまでの力は取手に加わらないものであるから、扉が開いて電気機器を収納した箱本体内に水が入り込むという不都合がないものである。また、水圧を取手の引き上げ方向から逸らす手段を設けてあるので、取手を手指で容易に操作できる大きさにできるとともに、取手のクランプ力を手指の力で容易に操作できる力に設定できるものである。
よって、本発明は従来の鎖錠用ハンドル装置の問題点を解消したものであり、業界にもたらす益大なものである。
【図面の簡単な説明】
【図１】本発明の実施形態を示す斜視図である。
【図２】本発明の実施形態を示す一部切欠正面図である。
【図３】本発明の実施形態を取手を引き上げた状態で示す斜視図である。
【図４】本発明の実施形態に使用する鎖錠用ハンドル装置の第１の実施例を示す背面―側面側からの斜視図である。
【図５】本発明の実施形態に使用する鎖錠用ハンドル装置の第１の実施例を示す前面―側面側からの斜視図である。
【図６】本発明の実施形態に使用する鎖錠用ハンドル装置の第２の実施例を示す背面―側面側からの斜視図である。
【図７】本発明の実施形態に使用する鎖錠用ハンドル装置の第２の実施例を示す前面―側面側からの斜視図である。
【図８】本発明の実施形態に使用する鎖錠用ハンドル装置の第３の実施例を示す背面―側面側からの斜視図である。
【図９】本発明の実施形態に使用する鎖錠用ハンドル装置の第３の実施例を示す前面―側面側からの斜視図である。
【図１０】本発明の実施形態に使用する鎖錠用ハンドル装置の第４の実施例を示す前面―側面側からの斜視図である。
【図１１】従来例を示す一部切欠斜視面図である。
【符号の説明】
１  箱本体
２  扉
３  取手
３ａ  背面
３３  横溝
３４  抜き孔
３５  傾斜面
３６  溝
【図１】
2004278202.tif 000003
【図２】
2004278202.tif 000004
【図３】
2004278202.tif 000005
【図４】
2004278202.tif 000006
【図５】
2004278202.tif 000007
【図６】
2004278202.tif 000008
【図７】
2004278202.tif 000009
【図８】
2004278202.tif 000010
【図９】
2004278202.tif 000011
【図１０】
2004278202.tif 000012
【図１１】
2004278202.tif 000013